(57)【要約】【課題】容器保持具を容器に取り付け、取り外しの際に容器の縁と後方にあるクランプ部材との相対位置を視認しやすくする。【解決手段】握り部３を備えた保持具本体４の前部に一体的に設けられる一方のクランプ部材５と、一方のクランプ部材５の前方に該一方のクランプ部材５と容器１の縁２の間隔Ｌをおいてアーム９を介して保持具本体４に一体的に設けられる他方のクランプ部材６とを備える。前記一対のクランプ部材５，６により縁２を挟持する取り外し可能に容器保持具を設ける。アーム９の後端側を保持具本体４に回動可能に接続して該アーム９を前方へ起伏自在に設ける。一方のクランプ部材５の前面を縁２に当接する際、他方のクランプ部材６は上方に配置されて縁２の上方が開放しているので容器１の縁２を直接視認でき、一方のクランプ部材５の前面を縁２に正確に当接することができる。【選択図】図１
0003118950.tif 000002
【実用新案登録請求の範囲】
【請求項１】
握り部を備えた保持体本体の前部に一体的に設けられる一方のクランプ部材と、前記一方のクランプ部材の前方に該一方のクランプ部材と容器の縁の間隔をおいてアームを介して前記保持体本体に一体的に設けられる他方のクランプ部材とを備え、前記一対のクランプ部材により前記縁を挟持する取り外し可能な容器保持具において、前記アームの後端側を前記保持体本体に回動可能に接続して該アームを前方へ起伏自在に設けたことを特徴とする取り外し可能な容器保持具。
【請求項２】
前記保持体本体に、前記アームを前後方向に向けて横向きに係止する係止部を設けたことを特徴とする請求項１記載の取り外し可能な容器保持具。
【請求項３】
前記係止部に前記アームのストッパーを設けたことを特徴とする請求項２記載の取り外し可能な容器保持具。
【請求項４】
前記係止部は上方を開放すると共に該係止部の上方に前記ストッパーを出没自在に設けたことを特徴とする請求項３記載の取り外し可能な容器保持具。
【請求項５】
前記ストッパーは前記保持体本体に設けた操作部に連動することを特徴とする請求項４記載の取り外し可能な容器保持具。
【請求項６】
前記操作部は前記保持体本体の上面に設けられ中心軸線を上下方向に設けた回動体であり、該操作部の下部に前記中心軸線を中心として内外方向へスライド自在に前記ストッパーを設けると共に、該ストッパーを外側に付勢する弾性体を前記操作部又は前記保持体本体に設け、前記保持体本体には前記ストッパーが前記中心軸線を中心として回動可能な平面が円形の収容部を設けると共に、該収容部の前記係止部に臨む部位に該収容部と前記係止部側とを接続する前記ストッパーの貫通部を設けたことを特徴とする請求項５記載の取り外し可能な容器保持具。
【考案の詳細な説明】
【技術分野】
【０００１】
本考案は、鍋やフライパン等の容器を保持するための取り外し可能な容器保持具に関するものである。
【背景技術】
【０００２】
従来、この種のものとして保持体に設けられ容器の縁を挟持する、それぞれ前向き部の前部に下向き部を設けた前後一対のクランプ部材と、前記クランプ部材を両者が開いた開位置又は両者が閉じた閉位置に相対的に移動させる移動手段とを有するものが知られている（例えば、特許文献１）。
【特許文献１】特開平１１−１７８７２２公報
【考案の開示】
【考案が解決しようとする課題】
【０００３】
従来技術においては前向き部の前部に下向き部を設けた前後一対のクランプ部材のうち、前方にあるクランプ部材が移動手段により移動して容器の縁を挟持するというものであるが、前方にあるクランプ部材を容器の縁に被せるようにして容器の縁に沿わせる必要があるので、この際容器の縁が前方にあるクランプ部材によって隠れてしまい、この結果容器の縁と後方にあるクランプ部材との相対位置を視認しにくくなるという問題がある。
【０００４】
解決しようとする問題点は、保持体の前側に一対のクランプ部材を前後方向に備え、容器の縁を挟持する取り外し可能な容器保持具において、容器保持具を容器に取り付け、取り外しの際に容器の縁と後方にあるクランプ部材との相対位置を視認しやすくする点である。
【課題を解決するための手段】
【０００５】
請求項１の考案は、握り部を備えた保持体本体の前部に一体的に設けられる一方のクランプ部材と、前記一方のクランプ部材の前方に該一方のクランプ部材と容器の縁の間隔をおいてアームを介して前記保持体本体に一体的に設けられる他方のクランプ部材とを備え、前記一対のクランプ部材により前記縁を挟持する取り外し可能な容器保持具において、前記アームの後端側を前記保持体本体に回動可能に接続して該アームを前方へ起伏自在に設けたことを特徴とする取り外し可能な容器保持具である。
【０００６】
請求項２の考案は、前記保持体本体に、前記アームを前後方向に向けて横向きに係止する係止部を設けたことを特徴とする請求項１記載の取り外し可能な容器保持具である。
【０００７】
請求項３の考案は、前記係止部に前記アームのストッパーを設けたことを特徴とする請求項２記載の取り外し可能な容器保持具である。
【０００８】
請求項４の考案は、前記係止部は上方を開放すると共に該係止部の上方に前記ストッパーを出没自在に設けたことを特徴とする請求項３記載の取り外し可能な容器保持具である。
【０００９】
請求項５の考案は、前記ストッパーは前記保持体本体に設けた操作部に連動することを特徴とする請求項４記載の取り外し可能な容器保持具である。
【００１０】
請求項６の考案は、前記操作部は前記保持体本体の上面に設けられ中心軸線を上下方向に設けた回動体であり、該操作部の下部に前記中心軸線を中心として内外方向へスライド自在に前記ストッパーを設けると共に、該ストッパーを外側に付勢する弾性体を前記操作部又は前記保持体本体に設け、前記保持体本体には前記ストッパーが前記中心軸線を中心として回動可能な平面が円形の収容部を設けると共に、該収容部の前記係止部に臨む部位に該収容部と前記係止部側とを接続する前記ストッパーの貫通部を設けたことを特徴とする請求項５記載の取り外し可能な容器保持具である。
【考案の効果】
【００１１】
請求項１の考案によれば、一方のクランプ部材を縁に当接する際、他方のクランプ部材は上方に配置されて縁の上方が開放しているので容器の縁を直接視認できる。
【００１２】
請求項２の考案によれば、係止部にアームを係止させてアームを伏した状態で正確に位置決めすることができる。
【００１３】
請求項３の考案によれば、係止部にアームを係止させた状態でアームを伏した状態でストッパーによって固定することができる
請求項４の考案によれば、アームの上方への回動を確実に阻止することができる。
【００１４】
請求項５の考案によれば、握り部を握りながらなど簡単に操作を行うことができる。
【００１５】
請求項６の考案によれば、常時ストッパーを外側にあらわすことはなくなり、衛生上好ましくなる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
添付図１乃至図11は実施例１を示しており、鍋やフイパンなどの容器１の縁２に取り付け、取り外し可能な容器保持具は、前後方向に長い握り部３を有する円筒形又は角筒形をなした保持具本体４の前側に、一方のクランプ部材５及び他方のクランプ部材６が後前に一体的に設けられている。
【００１８】
前記一方のクランプ部材５は、保持具本体４の前面下部に前方へ一体に突出した突出部７の前方に下端を前方斜め下向きとすると共に上端を後方斜め上向きとして、上下方向に回動可能に設けられたものであり、前面を平面状に設けた前記板状の一方のクランプ部材５の後部にブラケット部５Ａを設け、このブラケット部５Ａを左右方向に軸線が向いた回動軸10を介して突出部７に設けている。
【００１９】
前記他方のクランプ部材６は、伏した状態では一方のクランプ部材５の前方に容器１の縁２の厚みの間隔Ｌを形成可能に配置されるものであって、後面を平面状に設けると共に、下端を前方斜め下向きとすると共に、上端を後方斜め上向きとし、そして後面には容器１の内周面１Ａとの圧力を大にするためのシリコン、ゴム、エラストマーのような弾性体16からなる小突起などの摩擦手段８が設けられている。一方、一方のクランプ部材５の前面にも凸部からなる摩擦手段５Ｃが設けられている。尚、前記縁２は容器１の開口部のみではなく、容器の周面を含むものであり、その縁２の厚みは縁２のみならず周面も含むものである。
【００２０】
さらに、他方のクランプ部材６はアーム９を介して保持具本体４に一体的に設けられる。アーム９は左右一対に備えられ、該アーム９の前部間に他方のクランプ部材６が架設すると共に下向きとなって設けられる。左右一対のアーム９の左右方向の間隔は保持具本体４の上面４Ａとほぼ同じ幅間隔に配置されている。そして、左右一対のアーム９の後端は、保持具本体４に対して回動自在に接続している。このアーム９の後端は、該左右一対の後端間を接続するような定位置の回動軸10となっており、保持具本体４を構成する上下一対の上ケース４Ｂと下ケース４Ｃに挟まれ回動自在に設けられて、アーム９は回動軸10を回転中心として選択的に前方へ横向きとなって伏したり、上方へ向けて上向きとなるように起伏自在に設けられている。
【００２１】
保持具本体４の上面４Ａの左右両側には、伏して横向きとなったアーム９の下面９Ａを係止する係止部11を設ける。この係止部11は回動軸10に対応する箇所から保持具本体４の前側にかけて設けられるものであり、上面４Ａとそれに連なる側面との角部を欠くように上方及び外方を開放して下面11Ａ及び内側面11Ｂを有している。尚、保持具本体４は上面４Ａ側の上ケース４Ｂと、上面４Ａの反対側の下ケース４Ｃを一体化して形成されている。
【００２２】
さらに、係止部11には該係止部11に係止されたアーム９を固定するためのストッパー12を設ける。このストッパー12によりアーム９が固定されると一方のクランプ部材５の前方に他方のクランプ部材６が固定される状態となる。
【００２３】
前記ストッパー12は、保持具本体４の上面４Ａに設けた操作部13によって内側面11Ｂから係止部11の上方に出没可能に設けたものであり、その外側端12Ａには中心軸線13Ａ側を中心とした円弧面が形成されている。操作部13は中心軸線13Ａを上下方向に設けた円板状の回動体14の下部を上ケース４Ｂに挿入する。この挿入部15にはストッパー12が中心軸線13Ａを中心として放射状にスライド可能に設けられていると共に、ストッパー12の内側端（中心軸線13Ａ側）と挿入部15との間には、該ストッパー12を外側に常時付勢するコイルバネからなる弾性体16が介在している。尚、15Ａは挿入部15の下面11Ａの中央に下向きに設けた突起である。
【００２４】
そして、上ケース４Ｂには回動体14の挿入部15を回動自在に挿入するための円形孔17が形成されると共に、上ケース４Ｂにおける円形孔17の下面には中心軸線13Ａを中心とした円筒壁18Ａを有する収容部18が形成されており、この円筒壁18Ａの左右には係止部11に臨んで外側端12Ａが突設可能な貫通部19が設けられている。この貫通部19は下面11Ａを基準としてアーム９の上下方向の厚みＭよりやや高い位置に形成されている。尚、円筒壁を有する収容部は下ケース４Ｃ側にあってもよい。
【００２５】
次に前記構成についてその作用を説明する。握り部３を握り、そして図４に示すように回動軸10を中心としてアーム９を回動して他方のクランプ部材６を保持具本体４の上方に配置した状態で、容器１の縁２の外周面１Ｂに一方のクランプ部材５の前面を当接する。この際、他方のクランプ部材６は上方に配置されて縁２の上方が開放しているので容器１の縁２を直接視認でき、一方のクランプ部材５の前面を縁２に正確に当接することができる。一方のクランプ部材５は前面が外周面１Ｂに面接触するように回動軸を中心として回動できるようになっている。またこの際、図８（Ａ）に示すようにストッパー12の外側端12Ａは円筒壁18Ａに当接することで弾性体16に抗して後退している。
【００２６】
次に図５に示すように回動軸10を中心としてアーム９を回動して他方のクランプ部材６を保持具本体４の前方に配置すると共にアーム９を係止部11に係止するように伏した状態にすると、他方のクランプ部材６は容器１の縁２の内周面１Ａに当接することで、縁２は前後、すなわち前後に配置された他方のクランプ部材６の後面と一方のクランプ部材５の前面によって挟持されることとなり、この挟持によって容器１は保持される。
【００２７】
次に図８（Ｂ）に示すように、操作部13を回動することによりストッパー12も中心軸線13Ａを中心として回動し、貫通部19に臨んだストッパー12の外側端12Ａの一部は弾性体16による付勢力によって係止部11上、すなわち係止部11に係止されたアーム９の上部に突出し、この結果アーム９が回動軸を中心として浮き上がることが阻止され、この結果一方のクランプ部材５と他方のクランプ部材６との挟持による容器１の保持状態が固定状態となる。このような容器１が容器保持具に固定された状態で各種の調理を行うものである。
【００２８】
調理後のような容器保持具が不要のときには、まず図８（Ａ）に示すように、操作部13を回動してストッパー12を貫通部19より円筒壁18Ａ側に戻す。これにより他方のクランプ部材６の固定状態を解除することができる。この際、円筒壁18Ａは中心軸線13Ａを中心とした円形であり、一方外側端12Ａも中心軸線13Ａを中心とするような円弧面であるので、外側端12Ａの一部が貫通孔より突出している状態から、円筒壁18Ａ側に戻る後退作動はスムースに行うことができる。
【００２９】
そして、回動軸を中心として他方のクランプ部材６を上向きとすることで他方のクランプ部材６による容器１の保持を解除して容器１保持具を取り外すことができる。
【００３０】
以上のように、前記実施例では請求項１に対応して握り部３を備えた保持具本体４の前部に一体的に設けられる一方のクランプ部材５と、一方のクランプ部材５の前方に該一方のクランプ部材５と容器１の縁２の間隔Ｌをおいてアーム９を介して保持具本体４に一体的に設けられる他方のクランプ部材６とを備え、前記一対のクランプ部材５，６により縁２を挟持する取り外し可能な容器保持具において、アーム９の後端側を保持具本体４に回動可能に接続して該アーム９を前方へ起伏自在に設けたことにより、一方のクランプ部材５の前面を縁２に当接する際、他方のクランプ部材６は上方に配置されて縁２の上方が開放しているので容器１の縁２を直接視認でき、一方のクランプ部材５の前面を縁２に正確に当接することができる。
【００３１】
また、前記実施例では請求項２に対応して保持具本体４にはアーム９を前後方向に向けて横向きに係止する係止部11を設けたことにより、係止部11にアーム９を係止させてアーム９を伏した状態で正確に位置決めすることができる。
【００３２】
さらに、前記実施例では請求項３に対応して係止部11にアーム９のストッパー12を設けたことにより、係止部11にアーム９を係止させた状態でアーム９を伏した状態で固定することができる。
【００３３】
また、前記実施例では請求項４に対応して、係止部11は上方を開放すると共に該係止部11の上方にストッパー12を出没自在に設けたことにより、係止部11にあるアーム９の上部をストッパー12が押さえることとなり、アーム９の上方への回動を確実に阻止することができる。
【００３４】
さらに、前記実施例では請求項５に対応してストッパー12は保持具本体４に設けた操作部13に連動することにより、ストッパー12を直接操作せずに操作部13によって操作することで、握り部３を握りながらなど簡単に操作を行うことができる。
【００３５】
しかも、前記実施例では請求項６に対応して、操作部13は保持具本体４の上面４Ａに設けられ中心軸線13Ａを上下方向に設けた回動体14であり、該操作部13の下部に中心軸線13Ａを中心として内外方向へスライド自在に前記ストッパー12を設けると共に、該ストッパー12を外側に付勢する弾性体16を前記操作部13に設け、保持具本体４にはストッパー12が中心軸線13Ａを中心として回動可能な平面が円形の収容部18を設けると共に、この収容部18の前記係止部11に臨む部位に該収容部18と前記収容部18とを接続する前記ストッパー12の貫通部19を設けたことで、ストッパー12を貫通部19より出没させることにより常時ストッパー12を外側にあらわすことはなくなり、衛生上好ましくなる。
【実施例２】
【００３６】
添付図12は実施例２を示しており、ストッパー12を外側に付勢する付勢手段を、操作部13を回動してストッパー12が貫通部19に対向したときにストッパー12を外側に引き出すようなバネたる弾性体16Ａを保持体本体４に設けてもよい。
【産業上の利用可能性】
【００３７】
以上のように本考案にかかる容器保持具は、各種の容器に適用できる。
【図面の簡単な説明】
【００３８】
【図１】本考案の実施例１を示す平面図である。
【図２】本考案の実施例１を示す側面図である。
【図３】本考案の実施例１を示す底面図である。
【図４】本考案の実施例１を示す他方のクランプ部材が上向きの断面図である。
【図５】本考案の実施例１を示す他方のクランプ部材が横向きの断面図である。
【図６】本考案の実施例１を示す正面図である。
【図７】本考案の実施例１を示す背面図である。
【図８】本考案の実施例１を示すストッパーを示しており、図８（Ａ）は後退時の平面図、図８（Ｂ）は突出時の平面図である
【図９】本考案の実施例１を示すストッパー周りの正面図である。
【図１０】本考案の実施例１を示すストッパー周りの断面図である。
【図１１】本考案の実施例１を示すストッパー周りの底面図である。
【図１２】本考案の実施例２を示す平面図である。
【符号の説明】
【００３９】
１  容器
２  縁
３  握り部
４  保持具本体
４Ａ  上面
５  一方のクランプ部材
６  他方のクランプ部材
９  アーム
11  係止部
12  ストッパー
13  操作部
13Ａ  中心軸線
14  回動体
18  収容部
19  貫通部
Ｌ  間隔
【図１】
0003118950.tif 000003
【図２】
0003118950.tif 000004
【図３】
0003118950.tif 000005
【図４】
0003118950.tif 000006
【図５】
0003118950.tif 000007
【図６】
0003118950.tif 000008
【図７】
0003118950.tif 000009
【図８】
0003118950.tif 000010
【図９】
0003118950.tif 000011
【図１０】
0003118950.tif 000012
【図１１】
0003118950.tif 000013
【図１２】
0003118950.tif 000014